(57)【要約】  信号光と参照光との相互干渉を通じて形成される干渉パターンとしてデータを記録する光記録媒体、その記録／再生方法及び装置が開示される。本発明による光記録媒体は、所定のデータが記録される少なくとも一つの記録層のうち一部領域の厚さを他の領域に比べて薄く形成し、相対的に厚さの厚い領域には記録データを保存させ、相対的に厚さの薄い領域には記録及び／または再生条件を備える付加情報を保存させることを特徴とする。
2009535758.tif 000002
【特許請求の範囲】
【請求項１】
光記録媒体において、
所定のデータが記録される少なくとも一つの記録層を備え、
前記記録層の一部領域の厚さは、他の領域より薄く設定されることを特徴とする光記録媒体。
【請求項２】
前記記録層は、
参照光と信号光との干渉による干渉パターンとしてデータを記録するホログラフィー記録層であることを特徴とする請求項１に記載の光記録媒体。
【請求項３】
前記記録層のうち厚さの厚いデータ領域には記録データが保存され、厚さの薄いディスク情報保存領域には前記光記録媒体に関連した付加情報が保存されることを特徴とする請求項１に記載の光記録媒体。
【請求項４】
前記付加情報は、
前記記録層の記録条件及び／または再生条件を含むことを特徴とする請求項３に記載の光記録媒体。
【請求項５】
前記光記録媒体はディスク形態であり、前記ディスク情報保存領域は、前記光記録媒体の外周側に形成されることを特徴とする請求項３に記載の光記録媒体。
【請求項６】
前記光記録媒体はディスク形態であり、前記ディスク情報保存領域は、前記光記録媒体の内周側に形成されることを特徴とする請求項３に記載の光記録媒体。
【請求項７】
前記ディスク情報保存領域は、前記データ領域のうち少なくとも一つ以上の局部領域にスポット形態で形成されることを特徴とする請求項３に記載の光記録媒体。
【請求項８】
前記付加情報は、前記光記録媒体のＭナンバー、選択度、厚さの前記光記録媒体特性情報を含むことを特徴とする請求項３に記載の光記録媒体。
【請求項９】
前記付加情報は、前記光記録媒体の記録位置によるアドレス情報を含むことを特徴とする請求項３に記載の光記録媒体。
【請求項１０】
前記付加情報は、前記データ領域にデータを記録する時に前記光記録媒体の温度情報を含むことを特徴とする請求項３に記載の光記録媒体。
【請求項１１】
光記録媒体の記録／再生方法において、
前記光記録媒体の第１データ領域に記録条件を記録／再生するステップと、
前記光記録媒体の第２データ領域にユーザーデータを記録／再生するステップと、を含み、前記第１データ領域の厚さは、前記第２データ領域の厚さと異なることを特徴とする光記録媒体の記録／再生方法。
【請求項１２】
前記記録条件は、前記光記録媒体のＭナンバー、選択度、厚さの記録媒体特性情報を含むことを特徴とする請求項１１に記載の光記録媒体の記録／再生方法。
【請求項１３】
前記記録条件は、前記光記録媒体の記録位置によるアドレス情報を含むことを特徴とする請求項１１に記載の光記録媒体の記録／再生方法。
【請求項１４】
前記記録条件は、前記第２データ領域に前記ユーザーデータを記録する時、前記光記録媒体の温度情報を含むことを特徴とする請求項１１に記載の光記録媒体の記録／再生方法。
【請求項１５】
光記録媒体の記録／再生装置において、
前記光記録媒体の第１データ領域に記録条件を記録／再生し、前記光記録媒体の第２データ領域にユーザーデータを記録／再生するピックアップ部を備え、
前記第１データ領域の厚さは、前記第２データ領域の厚さと異なることを特徴とする光記録媒体の記録／再生装置。
【請求項１６】
前記記録条件は、前記光記録媒体のＭナンバー、選択度、厚さの記録媒体特性情報を含むことを特徴とする請求項１５に記載の光記録媒体の記録／再生装置。
【請求項１７】
前記記録条件は、前記光記録媒体の記録位置によるアドレス情報を含むことを特徴とする請求項１５に記載のホログラフィー記録媒体の記録／再生装置。
【請求項１８】
前記記録条件は、前記第２データ領域に前記ユーザーデータを記録する時、前記光記録媒体の温度情報を含むことを特徴とする請求項１５に記載の光記録媒体の記録／再生装置。
【請求項１９】
光記録媒体の再生方法において、
前記光記録媒体のデータが記録されたデータ領域、及び前記データ領域に所定のデータが記録される時の記録条件が記録されたディスク情報保存領域のうち、前記ディスク情報保存領域に参照光を照射して前記データ領域にデータが記録される時の前記記録条件を判断するステップと、
前記判断された記録条件を利用して前記データ領域に記録されたデータの再生のための再生条件を決定するステップと、
前記決定された再生条件によって、前記データ領域に参照光を照射して発生する再生光を読み込んで前記データを再生するステップと、を含むことを特徴とする光記録媒体の再生方法。
【請求項２０】
前記記録条件は、
前記データ領域に所定のデータが記録される時の前記光記録媒体の温度情報及び／または前記光記録媒体の記録位置によるアドレス情報を含むことを特徴とする請求項１９に記載の光記録媒体の再生方法。
【請求項２１】
前記再生条件を決定するステップは、
前記データ領域に所定のデータが記録される時の前記光記録媒体の温度と現在光記録媒体の温度差を計算するステップと、
前記計算された温度差による前記光記録媒体の屈折率及び体積の変化量を計算するステップと、
前記計算された屈折率及び体積の変化量を利用して、前記参照光の入射角度及び波長を調節するステップと、をさらに含むことを特徴とする請求項１９に記載の光記録媒体の再生方法。
【請求項２２】
光記録媒体の再生装置において、
データ領域に参照光を照射してデータを再生し、前記データ領域にデータを記録する時の記録条件が記録され、前記データ領域の厚さより薄く形成されたディスク情報保存領域に前記参照光を照射して、前記記録条件を再生する読み出し部と、
前記記録条件を利用して、前記データ領域に記録されたデータの再生のための再生条件を決定し、前記決定された再生条件によって前記データ領域に照射される前記参照光を制御する制御部と、を備えることを特徴とする光記録媒体の再生装置。
【請求項２３】
前記記録条件は、
前記データ領域に所定のデータが記録される時の前記光記録媒体の温度情報及び／または前記光記録媒体の記録位置によるアドレス情報を含むことを特徴とする請求項２２に記載の光記録媒体の再生装置。
【請求項２４】
現在光記録媒体の温度を測定する温度測定部をさらに備え、
前記制御部は、前記記録条件に備わった前記データ領域にデータを記録する時の温度と現在光記録媒体の温度差を利用して、前記温度差による前記光記録媒体の屈折率及び体積の変化量を計算し、前記計算された屈折率及び体積の変化量によって前記参照光の入射角度及び波長を調節することを特徴とする請求項２２に記載の光記録媒体の再生装置。
【請求項２５】
参照光と信号光との干渉による干渉パターンが、前記記録層にデータとして記録されることを特徴とする請求項３に記載の光記録媒体。
【請求項２６】
ホログラム記録媒体において、
第１基板と、
前記第１基板上に形成され、データ領域と情報保存領域とを備えるホログラム記録層と、
前記ホログラム記録層上に形成される第２基板を備え、
前記データ領域の厚さは、前記情報保存領域の厚さより厚いことを特徴とするホログラム記録媒体。
【請求項２７】
前記情報保存領域は、データが前記データ領域に記録される時の前記ホログラム記録層の温度と関連した情報を含むことを特徴とする請求項２６に記載のホログラム記録媒体。
【請求項２８】
前記情報保存領域は、記録位置に対応するアドレスと関連した情報を含むことを特徴とする請求項２６に記載のホログラム記録媒体。
【発明の詳細な説明】
【技術分野】
【０００１】
本発明は光記録媒体に係り、より詳細には、信号光と参照光との相互干渉を通じて形成される干渉パターンとしてデータを記録するホログラフィー記録媒体、その記録／再生方法及び装置に関する。
【背景技術】
【０００２】
最近、光の回折限界により制限される物理的限界を克服し、さらに大きい保存容量を持つ記録媒体として、ホログラフィー記録媒体についての研究が活発に進んでいる。ホログラフィー記録媒体は、対象物体からの信号光と参照光とを互いに干渉させる時に発生する干渉パターンとしてデータを記録する。ホログラフィー記録媒体は、２進データのページ単位で構成される数百ないし数千個のホログラムを同一な場所に保存できる。ホログラフィー記録媒体には、２進データのページ単位で変調された信号光と、これに対応して多重化方式によって位置、偏向角度、波長などが変化しつつ入射される参照光間の干渉を通じて得られる干渉パターン（データに対応する）が記録される。データが記録されたホログラフィー記録媒体には、記録用参照光と同じ条件を持つ再生参照光が入射され、再生参照光が入射される時、記録された干渉パターンが再生参照光を回折させて、干渉パターンが元来のピクセル明暗で構成される１ページの２進データに復調される。
【０００３】
ホログラフィー記録媒体に使われる代表的な有機記録物質として、光ポリマーと光屈折クリスタルがある。このうち、光ポリマーは低コスト及び高回折効率を持つため、ホログラフィー記録媒体の記録物質として多く利用される。光ポリマーは、光に反応して単位体が重合化される現象が発生し、これによって屈折率が変化する。基本的に光ポリマーは、単位体、結合体、色素、開始剤で構成される。光の波長を選択する部分は色素が決定し、光の強度によって空間的に重合体の多い部分とそうでない部分が形成され、これら分布は屈折率の分布を引き起こす。所望の干渉パターンを照射した後には、これを紫外線（Ｕｌｔｒａ  Ｖｉｏｌｅｔ：ＵＶ）に露出してこれ以上の反応がおきないようにポリマーを固定せねばならないが、これをＵＶキュアリングという。
【０００４】
光ポリマーは、ＵＶキュアリング、データの記録時、温度変化によって屈折率及び体積が変化する。このような屈折率と体積の変化は、保存された干渉パターンの間隔を変化させるため、ホログラフィー記録媒体の再生時信号の劣化を招く。したがって、ホログラフィー記録媒体の再生時に屈折率や体積の変化を最小化するか、このような変化を補償するための研究が活発に進んでいる。
【０００５】
一例として、温度変化による屈折率と体積変化を補償するために、特願２００４−１３９４７９号では、光ポリマーの上下両側に発熱層を挿入し、記録再生時の光源と異なる波長を持つ別途の光源を通じて発熱層を照射して、再生時に記録層の収縮を補償する方法について開示している。すなわち、ホログラフィー記録層の上下両側に発熱層を構成し、ホログラフィー記録層の収縮がある場合、記録、再生用レーザー光と異なる波長を持つ発熱用レーザー光を前記発熱層に照射して記録層の温度を高めることによって、収縮変形されたメディアの変化を補償する。
【０００６】
しかし、このような従来技術によれば、発熱層の追加挿入によって製造工程が増え、発熱層の製造時に厚さ及び平坦度の制御に難点があり、これによって製造工程が複雑になってコストが上昇するという問題点がある。また、発熱層と光ポリマーとが隣接する界面での材料的特性差によって問題が発生できる。また、発熱層を照射するための他の波長の光源を、ホログラフィーメモリ媒体の記録、再生のためのシステムに付加せねばならないので、全体システムが複雑になって消費電力が増加するという問題点がある。
【発明の開示】
【発明が解決しようとする課題】
【０００７】
したがって、本発明は前記問題点に鑑みてなされたものであり、信号光と参照光との干渉によってデータが記録されるホログラフィー記録層の厚さを差別的に形成し、相対的に高い選択度を持つ薄いホログラフィー記録層領域にデータ記録時の記録条件情報を記録するホログラフィー記録媒体を提供するところに目的がある。
【０００８】
また、本発明は、ホログラフィー記録媒体にデータを記録する時、薄いホログラフィー記録層領域にデータ記録時の記録条件を記録するホログラフィー記録媒体の記録方法及び装置を提供するところに目的がある。
【０００９】
また、本発明は、ホログラフィー記録媒体のデータ領域に記録されたデータを再生する時にデータ記録時の情報を読み出し、参照光の適切な補償角度と波長とを計算することによって再生信号の劣化を防止するホログラフィー記録媒体の再生方法及び装置を提供するところに目的がある。
【課題を解決するための手段】
【００１０】
前記のような技術的課題を解決するために、本発明による光記録媒体は、所定のデータが記録される少なくとも一つの記録層を備え、前記記録層の一部領域の厚さは、他の領域より薄く設定されることを特徴とする。
本発明による光記録媒体の記録方法は、データが記録されるデータ領域に信号光と参照光とを照射してデータを記録するステップと、前記データ領域にデータが記録される時の記録条件を測定するステップと、前記データ領域の厚さより薄く設定されたディスク情報保存領域に前記信号光と参照光とを照射して、前記測定された記録条件を記録するステップと、を含むことを特徴とする。
【００１１】
本発明による光記録媒体の記録装置は、データ領域に信号光と参照光とを照射してデータを記録し、前記データ領域の厚さより薄く形成されたディスク情報保存領域に前記信号光と参照光とを照射して、前記データ領域にデータが記録される時の記録条件を記録する記録部と、前記データ領域にデータが記録される時の記録条件を測定する記録条件測定部と、前記データ領域に前記データが記録され、前記記録条件測定部で測定された前記記録条件が前記ディスク情報保存領域に記録されるように前記記録部を制御する制御部と、を備えることを特徴とする。
【００１２】
本発明による光記録媒体の再生方法は、前記光記録媒体のデータが記録されたデータ領域、及び前記データ領域に所定のデータが記録される時の記録条件が記録されたディスク情報保存領域のうち、前記ディスク情報保存領域に参照光を照射して、前記データ領域にデータが記録される時の前記記録条件を判断するステップと、前記判断された記録条件を利用して、前記データ領域に記録されたデータの再生のための再生条件を決定するステップと、前記決定された再生条件によって前記データ領域に参照光を照射して発生する再生光を読み込んで、前記データを再生するステップと、を含むことを特徴とする。
【００１３】
本発明による光記録媒体の再生装置は、データ領域に参照光を照射してデータを再生し、前記データ領域にデータを記録する時の記録条件が記録され、前記データ領域の厚さより薄く形成されたディスク情報保存領域に前記参照光を照射して前記記録条件を再生する読み出し部と、前記記録条件を利用して前記データ領域に記録されたデータの再生のための再生条件を決定し、前記決定された再生条件によって前記データ領域に照射される前記参照光を制御する制御部と、を備えることを特徴とする。
【発明の効果】
【００１４】
本発明によれば、ホログラフィー記録媒体のデータ記録時の温度と再生温度との差により発生する再生信号の劣化を補償でき、再生信号品質を向上させることができる。また、本発明によれば、データ再生のホログラフィー記録媒体の基本情報、位置情報を安定的に提供できる。また、本発明は、従来技術に比べてホログラフィー記録媒体の構造を単純化して製作工程を簡単にし、ホログラフィー記録媒体の記録再生のための光学系システムを小型化できる。
【発明を実施するための最良の形態】
【００１５】
以下、添付した図面を参照して本発明の望ましい実施形態について詳細に説明する。
【００１６】
本発明は、信号光と参照光との干渉によって干渉パターンとしてデータが記録されるホログラフィー記録層にデータが記録されるデータ領域と、前記データ領域にデータを記録する時の記録条件が記録されるディスク情報保存領域とを形成し、ディスク情報保存領域の厚さをデータ領域の厚さより薄く形成することを特徴とする。ここで、信号光と参照光との干渉によって生成された結果的な干渉パターンは、ホログラムと称する。記録条件には、ホログラフィー記録媒体の温度情報、記録位置によるアドレス情報などがあり、付加的にホログラフィー記録媒体自体の特性を表すパラメータ、例えば、Ｍナンバー、選択度、ホログラフィー記録層の厚さなどが含まれうる。
【００１７】
本発明において、データ領域に比べてディスク情報保存領域の厚さを薄く形成する理由は、ホログラフィー記録層の厚さが薄いほど高い選択度を持つためである。選択度は、ホログラフィー記録層に記録された一つのホログラムを他のホログラムとの干渉なしに復元できる程度を表す。周知のように、ブラッグ角選択度（Δθ）は、次の式（１）の通りである。
【００１８】
【数１】
2009535758.tif 000003
式（１）でＬは、ホログラフィー記録層の厚さ、λは光の波長、θｆは参照光の角度、θｓは信号光の角度を表す。前記式（１）を説明すれば、参照光と信号光間の角を変化させつつホログラムを多重化して記録する場合、角選択度（Δθ）は、ホログラフィー記録層の厚さ（Ｌ）に反比例することがが分かる。すなわち、薄い厚さのホログラフィー記録層であるほど、厚いホログラフィー記録層に比べて相対的に高い選択度を持つ。
【００１９】
したがって、本発明によるホログラフィー記録媒体は、相対的に薄い厚さを持つホログラフィー記録層にデータの記録時の記録条件を記録し、このような記録条件を利用して、データの再生時にホログラフィー記録媒体の温度変化による再生信号の劣化を補償できるようにする。また、薄い厚さを持つホログラフィー記録層は厚いホログラフィー記録層に比べて相対的に温度変化による体積変化や屈折率の変化が少ないので、安定した信号の検出が可能である。以下では、ホログラフィー記録媒体を中心に説明するが、本発明による思想は、前記ホログラフィー記録媒体以外の他の光記録媒体にも適用できる。
【００２０】
図１の下部は、上部分に図示したホログラフィー記録媒体１００をＸ−Ｘ’線に沿って切った断面を示す。
【００２１】
本発明の一実施形態によるホログラフィー記録媒体１００は、第１基板１３０、ホログラフィー記録層１４０及び第２基板１５０を備える。本発明の一実施形態によるホログラフィー記録媒体１００は、ディスク形態を持つ。ホログラフィー記録層１４０は、内周から外周方向に所定長さｂに対応する領域にデータが記録されるデータ領域１１０が割り当てられ、外周側の所定長さｂに対応する残りの領域には、前記データ領域１１０にデータ記録時の記録条件が記録されるディスク情報保存領域１２０が割り当てられる。また、データ領域１１０の厚さＷ１は、ディスク情報保存領域１２０の厚さＷ２より厚く形成される。
【００２２】
前述したように、前記ディスク情報保存領域１２０には、記録位置によるアドレス情報や、前記データ領域１１０にデータを記録する時ホログラフィー記録媒体１００の温度情報などが記録される。また、付加的にホログラフィー記録媒体１００自体の特性を表すパラメータ情報、例えば、Ｍナンバー、選択度、厚さ情報などがディスク情報保存領域１２０に記録されうる。記録条件は、データ領域１１０に記録されたデータより先ず再生されて、前記データの再生のための再生条件を決定するのに利用される。
【００２３】
図２は、本発明の第２実施形態によるホログラフィー記録媒体の斜視図及び断面図を示す図である。図２の下部は、上部に図示したホログラフィー記録媒体２００をＸ−Ｘ’線に沿って切った断面を示す。
【００２４】
本発明の第２実施形態によるホログラフィー記録媒体２００は、第１基板２３０、ホログラフィー記録層２４０及び第２基板２５０を備える。本発明の第２実施形態によるホログラフィー記録媒体２００は、前記第１実施形態と同様にディスク形態を持つ。ただし、本発明の第２実施形態によるホログラム記録層２４０は、前記第１実施形態と逆に外周側ではない内周側にディスク情報保存領域を持つ。具体的に、ホログラフィー記録層２４０は、内周側の所定長さｄに対応する領域にディスク情報保存領域２２０が割り当てられ、所定長さｃに対応する残りの領域には、データが記録されるディスク情報保存領域２１０が割り当てられる。また、データ領域２１０の厚さＷ３は、ディスク情報保存領域２２０の厚さＷ４より厚く形成される。
【００２５】
図３は、本発明の第３実施形態によるホログラフィー記録媒体の斜視図及びその部分断面図を示す図である。図３の下部は、上部に図示したホログラフィー記録媒体３００の一部分ＡをＸ−Ｘ’線に沿って切った断面を示す部分断面図Ｂである。
【００２６】
本発明の第３実施形態によるホログラフィー記録媒体３００は、第１基板３３０、ホログラフィー記録層３４０及び第２基板３５０を備える。ただし、外周側または内周側にディスク情報保存領域が形成される前記第１及び２実施形態とは異なって、本発明の第３実施形態によるホログラフィー記録層３４０には、データ領域３１０のうち少なくとも一つ以上の局部領域にスポット形態でディスク情報保存領域３２０ａ、３２０ｂ、３２０ｃ、３２０ｄ、…が形成される。前記実施形態と同様に、データ領域の厚さＷ６がディスク情報保存領域の厚さＷ５より厚く形成される。
【００２７】
図４Ａ及び図４Ｂは、本発明の第４実施形態によるホログラフィー記録媒体を示す図である。図４Ａに示したホログラフィー記録媒体４００は、ホログラフィー記録媒体の形態がカード形態であることを除いては、前記図３に図示した第３実施形態によるホログラフィー記録媒体３００の構成と類似している。すなわち、ホログラフィー記録層のうち、選択された少なくとも一つ以上の局部領域にスポット形態でディスク情報保存領域４２０が形成され、ディスク情報保存領域４２０の厚さは、データ領域４１０の厚さより薄く形成される。
【００２８】
図４Ｂに図示したホログラフィー記録媒体４３０は、ホログラフィー記録媒体の形態がカード形態であることを除いては、前記図１に図示した第１実施形態によるホログラフィー記録媒体１００の構成と類似している。すなわち、ホログラフィー記録層の外側のフレーム領域にディスク情報保存領域４５０が形成され、ディスク情報保存領域４５０の厚さは、データ領域４４０の厚さより薄く形成される。
【００２９】
前述した説明では、ディスク形態及びカード形態のホログラフィー記録媒体についてのみ説明したが、本発明による思想、すなわち、ホログラフィー記録層をデータ領域とディスク情報保存領域とに分離し、前記ディスク情報保存領域の厚さをデータ領域の厚さより薄く形成することによって、データ記録時の記録条件が再生時に安定的に検出されるようにし、検出された記録条件を利用してホログラフィー記録層のデータ領域に記録されたデータを再生することは、他の形態のホログラフィー記録媒体にも適用できるということは自明である。
【００３０】
以下、本発明によるホログラフィー記録媒体の記録、再生方法及び装置について説明する。
【００３１】
図５は、本発明によるホログラフィー記録媒体の記録装置を示す図である。図５を参照するに、本発明によるホログラフィー記録媒体の記録装置５００は、ホログラフィー記録媒体５５０のデータ領域に信号光と参照光とを照射してデータを記録し、前記ディスク情報保存領域に信号光と参照光とを照射して前記データ領域にデータが記録される時の記録条件を記録する記録部５１０、前記データ領域にデータが記録される時の記録条件を測定する記録条件測定部５４０及び前記記録部５１０を制御する制御部５３０を備える。
【００３２】
具体的に、前記記録部５１０は、光源５１１、光分離器５１２、空間光変調器（Ｓｐａｔｉａｌ  Ｌｉｇｈｔ  Ｍｏｄｕｌａｔｏｒ：ＳＬＭ）５１３、第１レンズ５１４、ミラー５１５、反射鏡５１６、第２レンズ５１７及びアクチュエータ５１８を備える。
【００３３】
光分離器５１２は、光源５１１から入射されるレーザー光を参照光と信号光とに分離する。
【００３４】
光分離器５１２から分離されてミラー５１５に入射される垂直偏光された参照光は、光学レンズ（図示せず）を通じて調整されて任意のサイズに拡張され、反射鏡５１６を通じてあらかじめ設定された所定角度に偏向された後、本発明によるホログラフィー記録媒体５５０に入射される。
【００３５】
光分離器５１２から分離されて空間光変調器５１３に伝達される。空間光変調器５１３は、外部から入力された記録するデータによって明暗の２進データで構成された１ページ単位で信号光を変調する。このように変調された信号光は、参照光と同期化されてホログラフィー記録媒体５６０に入射される。
【００３６】
ホログラフィー記録媒体５６０のホログラフィー記録層のデータ領域には、前記参照光と記録光との干渉により入力されたデータに対応する干渉パターンが記録される。
【００３７】
記録条件測定部５４０は、前記ホログラフィー記録層のデータ領域にデータを記録する時の記録条件を測定する。前述したように、前記記録条件には、記録位置によるアドレス情報、データ領域にデータを記録する時、ホログラフィー記録媒体の温度情報などが記録される。
【００３８】
制御部５３０は、ホログラフィー記録媒体のデータ領域に入力されたデータに対応する干渉パターンが記録されるように前記記録部５１０を制御する一方、前記記録条件測定部５４０で測定された温度情報などの記録条件がホログラフィー記録媒体のディスク情報保存領域に記録されるように前記記録部５１０を制御する。前記ディスク情報保存領域に温度情報などを記録する過程は、その記録される領域がホログラフィー記録媒体のディスク情報保存領域であるという点を除いては、前述したデータ記録過程と同一である。前述したように、ディスク情報保存領域には付加的に、ホログラフィー記録媒体自体の特性を表すパラメータ情報であるＭナンバー、選択度、厚さ情報などが記録されうる。
【００３９】
図６は、本発明によるホログラフィー記録媒体の記録方法を示すフローチャートである。図６を参照するに、ホログラフィー記録層のデータ領域に信号光と参照光とを照射してデータを記録する（ステップ６１０）。この時、データが記録される時のホログラフィー記録媒体の温度情報などの記録条件を測定する（ステップ６２０）。次いで、ホログラフィー記録層のディスク情報保存領域に信号光と参照光とを照射して測定された記録条件を記録する（ステップ６３０）。
【００４０】
図７は、本発明によるホログラフィー記録媒体の再生装置を概略的に示す図である。図７を参照するに、本発明によるホログラフィー記録媒体の再生装置７００は、ホログラフィー記録媒体７２０のデータ領域に参照光を照射してデータを再生し、ディスク情報保存領域に参照光を照射して記録条件を再生する読み出し部７１０、再生時前記ホログラフィー記録媒体７２０の温度を測定する温度測定部７３０、及び前記読み出し部７１０で読み出された記録条件を利用してデータ領域に記録されたデータの再生のための再生条件を決定し、該決定された再生条件によってデータ領域に照射される参照光を制御する制御部７４０を備える。
【００４１】
具体的に、前記読み出し部７１０は、光源７１１、第１レンズ７１２、第２レンズ７１３、光検出器７１４を備える。光源７１１から出射された参照光は、第１レンズ７１２を経てホログラフィー記録媒体７２０に入射される。前記光源７１１から出射された参照光は、前記制御部７４０の制御によってホログラフィー記録媒体７２０の屈折率及び体積変化による再生信号の劣化を補償できるように、入射角度及び波長が調節される。前記参照光がホログラフィー記録媒体７２０に入射されれば、元来の情報を含む２次元の信号パターンが生成され、これをＣＣＤ（Ｃｈａｒｇｅ  Ｃｏｕｐｌｅｄ  Ｄｅｖｉｃｅ）のような光検出器７１４で検出する。
【００４２】
特に、ホログラフィー記録媒体７２０へのデータ記録時と再生時との屈折率及び体積変化を判断するために、前記制御部７３０は、前記読み出し部７００を制御してディスク情報保存領域に保存された記録条件が先ず読み出されるようにする。前述したように、前記記録条件には、前記データ領域に所定のデータが記録される時の前記ホログラフィー記録媒体の温度情報、前記ホログラフィー記録媒体の記録位置によるアドレス情報などが含まれる。
【００４３】
前記温度測定部７３０は、現在ホログラフィー記録媒体の温度を測定して制御部７４０に出力する。制御部７４０は、前記読み出された記録条件から、データ領域に所定のデータが記録される時のホログラフィー記録媒体の温度と、現在ホログラフィー記録媒体の温度差を計算し、該計算された温度差による前記ホログラフィー記録媒体の屈折率及び体積の変化量を計算する。一般的に、ホログラフィー記録媒体のような媒体の温度変化による屈折率と体積変化量とは線形的な関係を持つ。したがって、温度変化量が分かれば、媒体の屈折率と体積、すなわち、方向別媒体の長さ変化量を計算できる。
【００４４】
制御部７４０は、計算された屈折率及び体積の変化量を利用して参照光の入射角度及び波長を補償することによって、データ領域に記録されたデータの再生信号が劣化なしに正常に検出されるように前記読み出し部７１０を制御する。
【００４５】
図８は、本発明によるホログラフィー記録媒体の再生方法を示すフローチャートである。図８を参照するに、ホログラフィー記録媒体のディスク情報保存領域に参照光を照射して、データ領域にデータが記録される時の前記記録条件を判断する（ステップ８１０）。次いで、判断された記録条件を利用してデータ領域に記録されたデータの再生のための再生条件を決定する（ステップ８２０）。ここで、再生条件は、ホログラフィー記録媒体の屈折率及び体積変化を補償するための参照光の入射角度、波長などを表す。前述したように、このような記録条件は、前記ステップ８１０で判断されたデータ領域に所定のデータが記録される時のホログラフィー記録媒体の温度と、現在ホログラフィー記録媒体の温度差を計算し、計算された温度差による前記ホログラフィー記録媒体の屈折率及び体積の変化量を計算した後、計算された屈折率及び体積の変化量を利用して参照光の入射角度及び波長を調節することによって決定される。
【００４６】
再生条件が決定されれば、該決定された再生条件によってデータ領域に参照光を照射して発生する再生光を読み込むことによってデータを再生する（ステップ８３０）。
【００４７】
これまで本発明についてその望ましい実施形態を中心に説明した。当業者ならば、本発明の本質的な特性から逸脱しない範囲で変形された形態で具現できるということを理解できるであろう。したがって、開示された実施形態は、限定的な観点ではなく説明的な観点で考慮されねばならない。本発明の範囲は、前述した説明ではなく特許請求の範囲に現れており、それと同等な範囲内にあるあらゆる差異点は本発明に含まれていると解釈されねばならない。
【図面の簡単な説明】
【００４８】
【図１】本発明の第１実施形態によるホログラフィー記録媒体の斜視図及び断面図を示す図である。
【図２】本発明の第２実施形態によるホログラフィー記録媒体の斜視図及び断面図を示す図である。
【図３】本発明の第３実施形態によるホログラフィー記録媒体の斜視図及びその部分断面図を示す図である。
【図４Ａ】本発明の第４実施形態によるホログラフィー記録媒体を示す図である。
【図４Ｂ】本発明の第４実施形態によるホログラフィー記録媒体を示す図である。
【図５】本発明によるホログラフィー記録媒体の記録装置を示す図である。
【図６】本発明によるホログラフィー記録媒体の記録方法を示すフローチャートである。
【図７】本発明によるホログラフィー記録媒体の再生装置を概略的に示す図である。
【図８】本発明によるホログラフィー記録媒体の再生方法を示すフローチャートである。
【図１】
2009535758.tif 000004
【図２】
2009535758.tif 000005
【図３】
2009535758.tif 000006
【図４Ａ】
2009535758.tif 000007
【図４Ｂ】
2009535758.tif 000008
【図５】
2009535758.tif 000009
【図６】
2009535758.tif 000010
【図７】
2009535758.tif 000011
【図８】
2009535758.tif 000012
【国際調査報告】
2009535758.tif 000013
2009535758.tif 000014